【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
代理人により操作され且つネットワークと通信する少なくとも１つの自律車両による搬送クライアントのための１以上の搬送サービスを確保するためのネットワークであって、
前記ネットワークと通信する、商品やサービスを提供する企業と関連付けられた少なくとも１つの外部サーバであって、前記搬送クライアントのための搬送サービス要求及び搬送データのソースを含み、該搬送データの少なくとも一部が前記少なくとも１つの自律車両に関連する車両関連データを含む、少なくとも１つの外部サーバと、
前記ネットワークと通信する少なくとも１つの中央サーバであって、全体的に又は部分的に自動化されており、前記搬送サービス要求及び前記車両関連データを前記少なくとも１つの外部サーバから繰り返し受信し、該搬送サービス要求及び該車両関連データの一つ又は組み合わせの標準化及び統合の一つ以上を実行するよう構成された、少なくとも１つの中央サーバと、
前記ネットワークと通信する、前記自律車両に関連付けられた少なくとも１つの端末であって、地理的位置データ及び前記車両関連データを該ネットワークに提供するよう構成され、
入力装置と、
表示装置と、
を備える少なくとも１つの端末と、
前記ネットワークと通信する少なくとも１つのアプリケーションであって、１つ以上の代理人選好を前記代理人が入力できるよう構成された少なくとも１つのアプリケーションと、
を備え、
前記少なくとも１つの中央サーバは、更に、前記１つ以上の搬送サービス要求、前記地理的位置データ、前記１つ以上の代理人選好及び前記車両関連データのうち少なくとも１つの特徴に対応する搬送データを含む、該１つ以上の搬送サービス要求を処理するよう構成され、
前記少なくとも１つの中央サーバは、更に、
（ａ）前記１つ以上の代理人選好及び前記地理的位置データのうちの一つ又は組み合わせを使用することによって、前記搬送サービス要求の全部または一部をフィルタリングして、フィルタリングされた搬送サービス要求のサブセットを識別するステップと、
（ｂ）少なくとも１つの好ましい搬送サービス要求を識別するために、前記フィルタリングされた搬送サービス要求のサブセット全部または一部を分析するステップと、
（ｃ）前記自律車両又は前記代理人に指示を送信して該自律車両に前記搬送クライアントのために1つ以上の搬送サービスを実行させることで、前記少なくとも１つの好ましい搬送サービス要求を確保するステップと
を、前記代理人又は前記企業によって停止させられるまで繰り返すよう構成された、
ネットワーク。
【請求項２】
前記搬送サービス要求、前記地理的位置データ、及び前記車両関連データからなるグループの少なくとも１つが、少なくとも１つの異なるフォーマットで構造化され、前記少なくとも１つの中央サーバは、該グループの少なくとも１つを少なくとも１つの一様なフォーマットに標準化または変換するよう構成された、
請求項１に記載のネットワーク。
【請求項３】
前記少なくとも１つのアプリケーションが、前記少なくとも１つの中央サーバ上で動作する、
請求項１に記載のネットワーク。
【請求項４】
前記搬送サービス要求、前記地理的位置データ、及び前記車両関連データの全部または一部が、前記少なくとも１つの外部サーバによって供給または提供される、
請求項１に記載のネットワーク。
【請求項５】
前記搬送サービス要求の全部または一部が、ライドヘイルサービス要求、ライドシェアサービス要求、カーシェアサービス要求、ピアツーピア搬送サービス要求、輸送サービス要求、人物配達サービス要求、タクシーサービス要求、シャトルサービス要求、商品配達サービス要求、アイテム配達サービス要求、医療サービスおよび配達要求、食品配達サービス要求、宅配便配達サービス要求、貨物配達サービス要求、動物配達サービス要求、及び配達サービス要求からなるグループの少なくとも１つを含む、
請求項１に記載のネットワーク。
【請求項６】
搬送データが、サービス開始地理的位置、サービス終了地理的位置、価格設定情報、前記少なくとも１つの代理人選好、距離パラメータ、推定到着時間、目的地までの時間、搬送クライアント地理的位置、搬送クライアント評価、搬送クライアント格付け、搬送クライアント詳細、搬送サービス詳細、搬送サービスルート、好ましい搬送クライアント、センサデータ、代理人地理的位置、代理人評価、代理人格付け、代理人詳細、自律車両地理的位置、自律車両評価、自律車両格付け、自律車両詳細、好ましい自律車両、ルート計画選好、燃費選好、バッテリ寿命選好、車両容量選好、車両診断選好、搬送データ選好、サービスプロバイダ地理的位置、サービスプロバイダ評価、サービスプロバイダ格付け、サービスプロバイダ詳細、好ましいサービスプロバイダ、商品サプライヤ地理的位置、商品サプライヤ評価、商品サプライヤ格付け、商品サプライヤ詳細、好ましい商品サプライヤ、フリートマネージャ地理的位置、フリートマネージャ評価、フリートマネージャ格付け、フリートマネージャ詳細、好ましいフリートマネージャ、ロジスティクスプロバイダ地理的位置、ロジスティクスプロバイダ評価、ロジスティクスプロバイダ格付け、ロジスティクスプロバイダ詳細、好ましいロジスティクスプロバイダ、ロジスティクスサプライヤ地理的位置、ロジスティクスサプライヤ評価、ロジスティクスサプライヤ格付け、ロジスティクスサプライヤ詳細、好ましいロジスティクスサプライヤ、搬送業界セグメント詳細、好ましい搬送業界セグメント、商品詳細、アイテム詳細、タイプの車両詳細、車両詳細、統計変数の測定値、サービスレベル詳細、燃料消費、バッテリレベル、車両診断、及び車両容量からなるグループの少なくとも１つを含む、
請求項１に記載のネットワーク。
【請求項７】
前記搬送サービス要求の全部または一部が、前記つ以上の代理人選好および前記地理的位置データに関してフィルタリングされ、前記フィルタリングされた搬送サービス要求のサブセットの全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、及び比較の少なくとも１つのプロセスによって識別される、
請求項１に記載のネットワーク。
【請求項８】
前記少なくとも１つの好ましい搬送サービス要求が、前記１つ以上の代理人選好の少なくとも１つの加重平均を用いて前記フィルタリングされた搬送サービス要求のサブセットから識別される、
請求項７に記載のネットワーク。
【請求項９】
前記搬送サービス要求の全部または一部をフィルタリングする際に、前記少なくとも１つの自律車両のリアルタイムの地理的位置以外の少なくとも１つの異なる地理的位置が使用される、
請求項８に記載のネットワーク。
【請求項１０】
前記１つ以上の代理人選好が、価格設定、地理的位置、距離、ルート、サービス所要時間、サービス開始地理的位置、サービス終了地理的位置、時間、予測、過去、効率、センサ、イベント、交通量基準、道路条件、気象条件、輸送、ルート計画、燃費、バッテリ寿命、車両容量、車両診断、搬送データ、搬送サービス所要時間、搬送サービス要求密度、搬送クライアント密度、搬送クライアント詳細、搬送クライアント格付け、代理人密度、自律車両密度、サービスプロバイダ、サービスプロバイダ密度、サービスレベル、商品サプライヤ、商品サプライヤ密度、自律車両のオーナまたはコントローラ、少なくとも１つの自律車両密度のオーナまたはコントローラ、フリートマネージャ、フリートマネージャ密度、ロジスティクスプロバイダ、ロジスティクスプロバイダ密度、ロジスティクスサプライヤ、ロジスティクスサプライヤ密度、商品詳細、搬送業界セグメント、貨物、ウェイポイント、配達サービス、及び最古未解決要求からなるグループから選択された１つ以上の選好を含む、
請求項１に記載のネットワーク。
【請求項１１】
少なくとも１つの後続または追加の好ましい搬送サービス要求が、前記少なくとも１つの自律車両のために、少なくとも１つの異なる搬送業界セグメントにおいて確保または取得される、
請求項１に記載のネットワーク。
【請求項１２】
前記地理的位置が更新または変更されると、または交通情報が更新または変更されると、少なくとも１つの好ましい搬送サービス要求、前記複数のフィルタリングされた搬送サービス要求の全部または一部、前記搬送サービス要求の全部または一部、前記１つ以上の確保または取得された好ましい搬送サービス要求、前記１つ以上の代理人選好、またはそれらの組合せからなるグループの１つ以上が、識別または更新される、
請求項１に記載のネットワーク。
【請求項１３】
前記少なくとも１つの代理人が、前記少なくとも１つのアプリケーションを使用して、前記少なくとも１つの好ましい搬送サービス要求を分析または評価し、次いで、確保する、
請求項１に記載のネットワーク。
【請求項１４】
前記少なくとも１つの好ましい搬送サービス要求、前記フィルタリングされた搬送サービス要求のサブセットの全部または一部、前記搬送サービス要求の全部または一部、前記少なくとも１つの確保された好ましい搬送サービス要求、前記１つ以上の代理人選好、及び前記少なくとも１つの代理人の地理的位置からなるグループの1つ以上が、前記少なくとも１つの端末に送信され、ポップアップ、アイコン、ビジュアル、シンボル、パターン、マーカ、通知、警告、メッセージ、ショートメッセージサービス、マルチメディアメッセージサービス、スマートメッセージングサービス、及び拡張メッセージサービスの１つ以上を前記表示装置に表示させる、
請求項１３に記載のネットワーク。
【請求項１５】
前記少なくとも１つの代理人が、前記入力装置を用いて、前記少なくとも１つの好ましい搬送サービス要求を受諾するか、または拒否することで、前記少なくとも１つの好ましい搬送サービス要求の表示に応答する、
請求項１４に記載のネットワーク。
【請求項１６】
前記少なくとも１つの代理人が前記少なくとも１つの好ましい搬送サービス要求を拒否すると、少なくとも１つの新しいまたは異なる好ましい搬送サービス要求が識別され送信される、
請求項１５に記載のネットワーク。
【請求項１７】
前記少なくとも１つの自律車両のために、複数の好ましい搬送サービス要求が同時に確保される、
請求項１に記載のネットワーク。
【請求項１８】
前記少なくとも１つの好ましい搬送サービス要求、前記フィルタリングされた搬送サービス要求のサブセットの全部または一部、前記搬送サービス要求の全部または一部、前記少なくとも１つの確保された好ましい搬送サービス要求、前記１つ以上の代理人選好、及び前記地理的位置データからなるグループの１つ以上が、少なくとも１つのリモートディスプレイ上に表示される、
請求項１に記載のネットワーク。
【請求項１９】
前記少なくとも１つの中央サーバ又は前記少なくとも１つのアプリケーションが、前記少なくとも１つの好ましい搬送サービス要求以外の少なくとも１つの異なる搬送サービス要求を提案する、
請求項１に記載のネットワーク。
【請求項２０】
前記少なくとも１つのアプリケーション、前記少なくとも１つの端末、前記少なくとも１つの中央サーバ、及び前記少なくとも１つの外部サーバの１つ以上が結合または統合された、
請求項１に記載のネットワーク。
【請求項２１】
少なくとも１つの自律車両により搬送クライアントに提供される１つ以上の搬送サービスの確保において少なくとも１つの代理人を支援するための方法であって、該少なくとも１つの代理人、該少なくとも１つの自律車両及び該搬送クライアントはネットワークと通信しており、
少なくとも１つの中央サーバにおいて、商品又はサービスを提供する企業に関連付けられた少なくとも１つの外部サーバから搬送サービス要求及び少なくとも一部に前記少なくとも１つの自律車両に関連する車両関連データを含む搬送データを受信するステップと、
前記少なくとも１つの中央サーバにおいて、前記少なくとも１つの代理人のために、少なくとも１つのアプリケーションから1つ以上の代理人選好及び地理的位置データを受信するステップと、
前記少なくとも１つの中央サーバを使用して、前記搬送サービス要求の全部または一部を標準化し集約するステップと、
前記少なくとも１つの中央サーバを介して、前記１つ以上の代理人選好および前記地理的位置データの1つ又は組み合わせを使用して前記搬送サービス要求をフィルタリングし、フィルタリングされた搬送サービス要求のサブセットを識別するステップと、
前記少なくとも１つの中央サーバを介して、前記フィルタリングされた搬送サービス要求のサブセットから、少なくとも１つの好ましい搬送サービス要求を識別するステップと、
前記少なくとも１つのアプリケーションに前記少なくとも１つの確保された好ましい搬送サービス要求を送信することで、前記少なくとも１つの好ましい搬送サービス要求を確保し、
前記少なくとも１つの代理人及び前記少なくとも１つの自律車両の１つまたは両方に指示を伝え、該少なくとも１つの自律車両に、前記搬送クライアントのために１つ以上の搬送サービスを実行させ、前記少なくとも１つの中央サーバは、前記少なくとも１つの代理人によって停止されるまで、前記搬送サービス要求を繰り返し受信して分析し、少なくとも１つの後続の好ましい搬送サービス要求を確保するステップと、を含む
方法。
【請求項２２】
前記搬送サービス要求の、前記地理的位置データ、及び前記車両関連データからなるグループの少なくとも１つが、少なくとも１つの異なるフォーマットで構造化され、少なくとも１つの一様なフォーマットに標準化または変換される、
請求項２１に記載の方法。
【請求項２３】
前記１つ以上の代理人選好が、前記少なくとも１つのアプリケーション及び前記少なくとも１つの中央サーバに格納またはキャッシュされる、
請求項２１に記載の方法。
【請求項２４】
前記搬送サービス要求の全部または一部が、前記１つ以上の代理人選好および地理的位置データに関してフィルタリングされ、前記フィルタリングされた搬送サービス要求のサブセットの全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、及び比較の少なくとも１つのプロセスによって識別する、
請求項２１に記載の方法。
【請求項２５】
前記搬送サービス要求の全部または一部をフィルタリングするときに、前記少なくとも１つの自律車両のリアルタイムの地理的位置以外の少なくとも１つの異なる地理的位置が使用される、
請求項２１に記載の方法。
【請求項２６】
前記少なくとも１つの好ましい搬送サービス要求が、前記１つ以上の代理人選好の少なくとも１つの加重平均を用いて前記フィルタリングされた搬送サービス要求のサブセットの全部または一部から識別される、
請求項２１に記載の方法。
【請求項２７】
前記少なくとも１つの好ましい搬送サービス要求、前記フィルタリングされた搬送サービス要求のサブセットの全部または一部、前記搬送サービス要求の全部または一部、前記少なくとも１つの確保された好ましい搬送サービス要求、前記１つ以上の代理人選好、前記及び前記地理的位置データからなるグループの１つ以上が、少なくとも１つの端末に送信され、ポップアップ、アイコン、ビジュアル、シンボル、パターン、マーカ、通知、警告、メッセージ、ショートメッセージサービス、マルチメディアメッセージングサービス、スマートメッセージングサービス、及び拡張メッセージサービスで表示される、
請求項２１に記載の方法。
【請求項２８】
前記少なくとも１つの代理人が、前記入力装置を用いて、前記少なくとも１つの好ましい搬送サービス要求の表示に応答して、前記少なくとも１つの好ましい搬送サービス要求を受諾するか、または拒否する、
請求項２７に記載の方法。
【請求項２９】
前記少なくとも１つの代理人が前記少なくとも１つの好ましい搬送サービス要求を拒否すると、少なくとも１つの新しいまたは異なる好ましい搬送サービス要求が識別され表示される、
請求項２８に記載の方法。
【請求項３０】
前記少なくとも１つの自律車両のために、複数の好ましい搬送サービス要求が同時に確保される、
請求項２１に記載の方法。
【請求項３１】
前記少なくとも１つの好ましい搬送サービス要求、前記フィルタリングされた搬送サービス要求のサブセットの全部または一部、前記搬送サービス要求の全部または一部、前記少なくとも１つの確保された好ましい搬送サービス要求、前記１つ以上の代理人選好、及び前記地理的位置データからなるグループの1つ以上が、少なくとも１つのリモートディスプレイ上に表示される、
請求項２１に記載の方法。
【請求項３２】
前記地理的位置データが更新または変更されると、または交通情報が更新または変更されると、前記少なくとも１つの好ましい搬送サービス要求、前記複数のフィルタリングされた搬送サービス要求の全部または一部、前記搬送サービス要求の全部または一部、前記少なくとも１つの確保または取得された好ましい搬送サービス要求、前記１つ以上の代理人選好、またはそれらの組合せからなるグループの1つ以上が識別または更新される、
請求項２１に記載の方法。
【請求項３３】
前記少なくとも１つの中央サーバ又は前記少なくとも１つのアプリケーションが、前記少なくとも１つの好ましい搬送サービス要求以外の少なくとも１つの異なる搬送サービス要求を提案する、
請求項２１に記載の方法。
【請求項３４】
前記少なくとも１つのアプリケーションの1つ以上、前記少なくとも１つの端末、前記少なくとも１つの中央サーバ、及び前記少なくとも１つの外部サーバが統合された、
請求項２１に記載の方法。